(57)【特許請求の範囲】
【請求項１】
外部機器からの電磁誘導で非接触通信を行う非接触ＩＣカード機能を有し、この非接触通信に応じた制御を行う携帯端末装置であって、
特定施設への入場時に前記非接触通信による入場処理を行った場合に、特定状況になったか否かを検出するための探索動作として、前記特定施設から発信された特定信号の受信の有無を判定し、前記特定信号を受信した場合には前記特定状況になったと判定する第１の探索動作制御と、前記特定信号を受信していない場合には、更に、特定音の検出有無の確認を行い、前記特定音を検出した場合には前記特定状況になったと判定する第２の探索動作制御とを開始させる第１の制御手段と、
前記探索動作によって特定状況になったことが検出された際に、所定機能をオフする設定、電源をオフする設定のうち、少なくともその何れかの設定を行う設定手段と、
前記特定施設への退場時に前記非接触通信による退場処理を行った場合に、前記探索動作を終了させる第２の制御手段と、
を具備する、ことを特徴とする携帯端末装置。
【請求項２】
コンピュータに対して、
特定施設への入場時に、外部機器からの電磁誘導で当該外部機器と非接触ＩＣカード機能との間で非接触通信による入場処理を行った場合に、特定状況になったか否かを検出するための探索動作として、前記特定施設から発信された特定信号の受信の有無を判定し、前記特定信号を受信した場合には前記特定状況になったと判定する第１の探索動作制御と、前記特定信号を受信していない場合には、更に、特定音の検出有無の確認を行い、前記特定音を検出した場合には前記特定状況になったと判定する第２の探索動作制御とを開始する機能と、
前記探索動作によって特定状況になったことが検出された際に、所定機能をオフする設定、電源をオフする設定のうち、少なくともその何れかの設定を行う機能と、
前記特定施設への退場時に前記非接触通信による退場処理を行った場合に、前記探索動作を終了する機能と、
を実現させる、ことを特徴とするプログラム。
【発明の詳細な説明】
【技術分野】
【０００１】
この発明は、外部機器からの電磁誘導で非接触通信を行う非接触ＩＣカード機能を有した携帯端末装置及びプログラムに関する。
【背景技術】
【０００２】
従来、イベント会場、駅構内などの特定施設に設置されているリーダライタ付き外部機器との間において、当該施設への入退場時に入退場処理を実行する非接触ＩＣカード機能を有した携帯端末装置として、例えば、施設入場時においてリーダライタとの間での非接触通信によって使用禁止信号を受信した際に、電源を強制的にオフするようにした技術が公知となっている（特許文献１参照）。
【特許文献１】特開２００４−１３５７８５号公報
【発明の開示】
【発明が解決しようとする課題】
【０００３】
しかしながら、上述した先行技術にあっては、実際に入場しただけで強制的に電源がオフされてしまうため、例えば、交通機関の駅で電車を待っている場合やコンサート会場で開演待ちしているような場合でも、携帯端末装置が全く使用できない状態となってしまう。つまり、電車内や公演中での使用を禁止するための処置であるにも拘わらず、施設入場時に一律に電源をオフしてしまうことは、かえって顧客に不便を与えてしまう。
そこで、使用者は、禁止信号の受信で強制オフされることを防ぐために入場時には、敢えて電源を切っておき、入場後に電源をオンすることによって使用可能とする悪用も考えられる。
【０００４】
この発明の課題は、外部機器との間で非接触通信を行ったのちにおいて必要なタイミングで適切な設定を行うことが可能な携帯端末装置を実現できるようにすることである。
【課題を解決するための手段】
【０００５】
請求項１記載の発明は、外部機器からの電磁誘導で非接触通信を行う非接触ＩＣカード機能を有し、この非接触通信に応じた制御を行う携帯端末装置であって、特定施設への入場時に前記非接触通信による入場処理を行った場合に、特定状況になったか否かを検出するための探索動作として、前記特定施設から発信された特定信号の受信の有無を判定し、前記特定信号を受信した場合には前記特定状況になったと判定する第１の探索動作制御と、前記特定信号を受信していない場合には、更に、特定音の検出有無の確認を行い、前記特定音を検出した場合には前記特定状況になったと判定する第２の探索動作制御とを開始させる第１の制御手段と、前記探索動作によって特定状況になったことが検出された際に、所定機能をオフする設定、電源をオフする設定のうち、少なくともその何れかの設定を行う設定手段と、前記特定施設への退場時に前記非接触通信による退場処理を行った場合に、前記探索動作を終了させる第２の制御手段と、を具備する、ことを特徴とする。
更に、コンピュータに対して、上述した請求項１記載の発明に示した主要機能を実現させるためのプログラムを提供する（請求項２記載の発明）。
【発明の効果】
【００１２】
この発明によれば、外部機器との間で非接触通信を行ったのちにおいて必要なタイミングで適切な設定を行うことが可能となり、実情に即した制御が可能となる。
【発明を実施するための最良の形態】
【００１３】
（実施形態１）
以下、図１〜図３を参照して本発明の第１実施形態を説明する。
この実施形態は、携帯端末装置として携帯電話装置に適用した場合を例示したもので、図１は、この携帯電話装置の基本的な構成要素を示したブロック図である。
携帯電話装置は、例えば、２つの筐体（操作部筐体、表示部筐体）が開閉可能に取り付けられた折り畳み自在なもので、この携帯電話装置には通話機能、電子メール機能、インターネット接続機能（Ｗｅｂアクセス機能）、非接触ＩＣカード機能、カメラ機能など、各種の機能が備えられている。
【００１４】
ＣＰＵ１は、記憶部２内の各種のプログラムに応じてこの携帯電話装置の全体動作を制御する中核的な中央演算処理装置である。記憶部２は、内部メモリであり、プログラム領域とデータ領域とを有し、このプログラム領域には、後述する図２〜図４に示す動作手順に応じて本実施形態を実現するためのプログラムが格納されている。記録メディア３は、着脱自在な可搬型メモリで、例えば、ＳＤカード、ＩＣカードなどによって構成されている。メモリ４は、ワーク領域を有する内部メモリであり、後述する探索フラグＦ１などを記憶する。
【００１５】
無線通信部５は、無線部、ベースバンド部、多重分離部などを備え、例えば、通話機能、電子メール機能、インターネット接続機能の動作時などで最寄りの基地局との間でデータの送受信を行うもので、通話機能の動作時にはベースバンド部の受信側から信号を取り込んで受信ベースバンド信号に復調したのち、音声信号処理部６を介して送話スピーカＳＰから音声出力させ、また、受話マイクＭＣからの入力音声データを音声信号処理部６から取り込み、送信ベースバンド信号に符号化したのち、ベースバンド部の送信側に与えてアンテナから発信出力させる。
【００１６】
操作部７は、ダイヤル入力、文字入力、コマンド入力などを行うもので、ＣＰＵ１は、操作部７からの操作入力信号に応じた処理を実行する。報知部８は、サウンドスピーカ８Ａ、ＬＥＤ（発光ダイオード）８Ｂ、振動モータ８Ｃを備え、電話あるいはメール着信時に駆動されて着信報知を行うほか、アラーム報知時にも駆動される。カメラ撮像部９は、静止画撮影のほかに動画撮影も可能なもので、撮像素子、レンズ系、その駆動系のほか、測距センサ、光量センサ、アナログ処理回路、信号処理回路、圧縮伸張回路等を備え、光学ズームの調整制御、オートフォーカス時の駆動制御、シャッター駆動制御、露出、ホワイトバランスなどを制御するもので、その撮影画像は、高精細液晶あるいは有機ＥＬなどを使用した表示部１０から表示される。
【００１７】
非接触ＩＣカード処理部１１は、電子マネー利用機能、施設入退場機能などの非接触ＩＣカード機能を構成するもので、ＣＰＵ１１Ａ、メモリ１１Ｂ、コイルアンテナ１１Ｃを有し、ＩＣリーダライタ付き外部機器２０との間で非接触通信動作（データの送受信動作）を行うようにしている。なお、コイルアンテナ１１Ｂは、電波を送受信すると共に、受信電波によって電磁誘導される起電力を非接触ＩＣカード処理部１１の動作電力とするもので、非接触ＩＣカード処理部１１は、コイルアンテナ１１Ｃからの起電力に基づいて起動状態となる。この非接触ＩＣカード処理部１１が起動状態となると、本体側のＣＰＵ１は、非接触通信に応じた処理として、電子マネー処理、入退場処理を実行する。
【００１８】
この入退場処理は、特定施設（例えば、交通機関、コンサート会場など）への入場時あるいは退場時に実行されるもので、ＣＰＵ１は、特定施設への入場時に非接触通信に応じて入場処理を行った場合に、特定状況下にあるか否かを検出するための探索動作を開始させ、この探索動作によって特定状況になったことが検出された際に所定状態（例えば、スピーカＯＦＦ（オフ）状態／通信機能ＯＦＦ状態／本体ＯＦＦ状態）に設定し、また、特定施設からの退場時に非接触通信に応じて退場処理を行った場合に、上述の探索動作を終了させるようにしている。ここで、上述した特定状況とは、例えば、車内などでの通信機能の使用禁止を指示する信号を受信した場合、コンサート開演中などでスピーカの使用禁止を指示する信号を受信した場合、あるいは周囲音に基づいて特定環境であることが特定された場合である。
【００１９】
近距離通信部１２は、例えば、赤外線通信方式、あるいはBluetooth通信方式を利用したもので、特定施設から発信された特定信号、つまり、車内などでの通信機能の使用禁止を指示する通信ＯＦＦ信号、コンサート開演中などでスピーカの使用禁止を指示するスピーカＯＦＦ信号、主電源をオフして本体の使用禁止を指示する本体ＯＦＦ信号のうち、その何れかを近距離通信部１２を介して受信してＣＰＵ１に与える。集音マイク１３は周囲音（例えば、列車の発車ベル音、列車のドア音、コンサート開演の開始音など）を入力するもので、ＣＰＵ１は、この周囲音を解析することによって特定環境に居るのか、例えば、列車内あるいはその近くに居るのか、あるいは公演開始時にコンサート会場に居るのかなどを特定するようにしている。
【００２０】
次に、この第１実施形態における携帯電話装置の動作概念を図２〜図４に示すフローチャートを参照して説明する。ここで、これらのフローチャートに記述されている各機能は、読み取り可能なプログラムコードの形態で格納されており、このプログラムコードにしたがった動作が逐次実行される。また、伝送媒体を介して伝送されてきた上述のプログラムコードに従った動作を逐次実行することもできる。このことは後述する他の実施形態においても同様であり、記録媒体のほかに、伝送媒体を介して外部供給されたプログラム／データを利用してこの実施形態特有の動作を実行することもできる。
【００２１】
図２及び図３は、電源投入に伴って実行開始される携帯電話装置の全体動作のうち、第１実施形態の特徴部分を示したフローチャートである。
なお、図２及び図３は、非接触ＩＣカード処理部１１を施設入退場機能として利用する場合を例示し、非接触ＩＣカード処理部１１を電子マネー利用機能として利用する場合の動作については割愛したものである。
先ず、ＣＰＵ１は、無線通信部５を作動させて現在位置を登録する待受処理を行うと共に、所定の待受画像を読み出して表示出力させながら着信待ち受け状態となる（ステップＡ１）。この状態において、着信有りを検出すると（ステップＡ２でＹＥＳ）、着信メロディなどを発生出力させる着信報知を行うと共に、着信処理を実行する（ステップＡ３）。
【００２２】
また、待ち受け状態においてＩＣリーダライタ付き外部機器２０からの電磁誘導で非接触ＩＣカード処理部１１が起動することによって、非接触ＩＣカード処理部１１から起動通知を受け取ったかを調べ（ステップＡ４）、起動通知を受けなければ、図３のフローに移るが、非接触ＩＣカード処理部１１から起動通知を受けたときには（ステップＡ４でＹＥＳ）、特定施設（例えば、交通機関の改札、コンサート会場など）への入退場処理に移る（ステップＡ５〜Ａ１５）。
【００２３】
すなわち、非接触ＩＣカード処理部１１から起動通知を受け取った場合に（ステップＡ４でＹＥＳ）、ＣＰＵ１は、ＩＣリーダライタ付き外部機器２０から非接触ＩＣカード処理部１１を介して取り込んだ入退場種別に基づいて入場か、退場かの判別を行い（ステップＡ５）、入場であれば、その外部機器２０からの制御データ内に探索要求が含まれているかを調べる（ステップＡ６）。探索要求は、特定状況下にあるか否かを検出するための探索動作を開始させるための要求である。いま、探索要求が含まれていなければ（ステップＡ６でＮＯ）、図３のフローに移るが、探索要求が含まれていれば（ステップＡ６でＹＥＳ）、探索動作の開始を指示する探索フラグＦ１をセットしたのち（ステップＡ７）、図３のフローに移る。
【００２４】
図３のフローにおいて、先ず、探索フラグＦ１のセット有無をチェックし（ステップＡ１８）、探索フラグＦ１がセットされていなければ、ステップＡ２６に移り、操作有無を調べる。いま、何らかの操作が行われたときには（ステップＡ２６でＹＥＳ）、操作に対応する処理として、例えば、電話発信処理、メール作成・発信処理などを実行したのち（ステップＡ２７）、図２のステップＡ１に戻って待ち受け状態となる。一方、探索フラグＦ１がセットされている場合には（ステップＡ１６でＹＥＳ）、特定状況下にあるか否かを検出する探索動作を開始させるために、近距離通信部１２を駆動させて特定信号の受信有無をチェックする（ステップＡ１７）。
【００２５】
ここで、特定施設から発信された特定信号を近距離通信部１２を経由して受信すると（ステップＡ１８でＹＥＳ）、この特定信号は、車内などでの通信機能の使用禁止を指示する通信ＯＦＦ信号であるか（ステップＡ１９）、コンサート開演中などでスピーカの使用禁止を指示するスピーカＯＦＦ信号であるかを調べる（ステップＡ２１）。いま、通信ＯＦＦ信号及びスピーカＯＦＦ信号でもなければ（ステップＡ２１でＮＯ）、受信した特定信号は、主電源をオフして本体の使用禁止を指示する本体ＯＦＦ信号であると判断して、主電源ＯＦＦ処理に移る。
【００２６】
また、通信ＯＦＦ信号を受信したときには（ステップＡ１９でＹＥＳ）、通信機能を構成する無線通信部５をオフして駆動停止状態に設定したのち（ステップＡ２０）、上述の着信処理（ステップＡ１〜Ａ３）をスキップするためにステップＡ４に移る。また、スピーカＯＦＦ信号を受信したときには（ステップＡ２１でＹＥＳ）、スピーカ出力機能をオフするためにサウンドスピーカ８Ａをオフして駆動停止状態に設定したのち（ステップＡ２２）、上述のステップＡ２６に移って操作有無をチェックする。
【００２７】
また、特定施設から発信された特定信号を受信しなければ（ステップＡ１８でＮＯ）、特定状況下にあるか否かを検出する探索動作を開始させるために集音マイク１３を駆動させて特定環境にあるか否かをチェックする（ステップＡ２３）。すなわち、集音マイク１３から入力された周囲音（例えば、列車の発車ベル音、列車のドア音、コンサート開演の開始音など）を解析することによって特定環境に居るのか、例えば、列車内あるいはその近くに居るのか、あるいは公演開始時にコンサート会場に居るのかをチェックする。
【００２８】
ここで、上述したような特定環境に居るときには（ステップＡ２４でＹＥＳ）、その周囲音に応じて無線通信部５あるいはサウンドスピーカ８Ａをオフして駆動停止状態に設定する（ステップ２５）。例えば、列車内あるいはその近くに居るときには、無線通信部５をオフして駆動停止状態に設定するが、公演開始時にコンサート会場に居るときには、サウンドスピーカ８Ａをオフして駆動停止状態に設定する。その後、上述の着信処理（ステップＡ１〜Ａ３）をスキップするためにステップＡ４に移る。
【００２９】
一方、ＩＣリーダライタ付き外部機器２０から非接触ＩＣカード処理部１１を介して取り込んだ入退場種別が退場を示す場合には（図２のステップＡ５でＮＯ）、探索フラグＦ１のセット有無を調べる（ステップＡ８）。ここで、探索フラグＦ１がリセットされていれば、図３のフローに移るが、探索フラグＦ１がセットされていれば（ステップＡ８でＹＥＳ）、探索フラグＦ１をリセットしたのち（ステップＡ９）、主電源をオフされているか（ステップＡ１０）、無線通信部５がオフされているか（ステップＡ１１）、サウンドスピーカ８Ａがオフされているかを調べる（ステップＡ１２）。いま、主電源をオフされていれば（ステップＡ１０でＹＥＳ）、それをオン状態に復帰させ（ステップＡ１３）、無線通信部５がオフされていれば（ステップＡ１１でＹＥＳ）、それをオン状態に復帰させ（ステップＡ１４）、サウンドスピーカ８Ａがオフされていれば（ステップＡ１２でＹＥＳ）、それをオン状態に復帰させたのち（ステップＡ１５）、図３のフローに移る。
【００３０】
以上のように、この第１実施形態においてＣＰＵ１は、特定施設への入場時にＩＣリーダライタ付き外部機器２０と非接触ＩＣカード処理部１１との間での非接触通信に応じて入場処理を行った場合に限り、特定状況下にあるか否かを検出するための探索動作を開始させると共に、この探索動作によって特定状況になったことが検出された際に所定状態に設定するようにしたので、外部機器２０との間で非接触通信を行ったのちにおいて必要なタイミングで適切な設定を行うことが可能となり、実情に即した制御が可能となるほか、特定施設への入場によって直ちに使用不可になってしまうこともなく、常に特定状況か否かを探索するといった探索ロスも解消することができる。
【００３１】
特定状況下になったか否かの探索は、通信禁止を指示する通信ＯＦＦ信号、あるいはスピーカの使用禁止を指示するスピーカＯＦＦ信号などの特定信号の受信有無をチェックしたり、列車の発車ベル音、列車のドア音、コンサート開演における開始音などの特定音の検出有無をチェックしたりするようにしたので、例えば、特定施設への入場後であっても、列車に乗るまで、あるいはコンサートの開演が始まるまでの間でも通信機能やスピーカを使用することが可能となる。
【００３２】
所定状態の設定として、通信機能をオフする設定、スピーカ出力機能をオフする設定、主電源をオフする設定を行うようにしたから、主電源をオフ設定する場合に限らず、一部の機能だけをオフすることができる。例えば、電源オフまでとはいかなくても、通信を禁止されている場所、コンサート開演中などのスピーカ出力が禁止されている場所では、通信オフに設定したり、スピーカオフに設定したりすることができる。
【００３３】
なお、上述した第１実施形態において特定状況下になったか否かの探索は、特定信号の受信有無、特定音の検出有無をチェックするようにしたが、周囲が無音状態になったか否かの探索するようにしたてもよい。これによって例えば、コンサート会場での無音状態を開演直前の状態として判断することも可能となる。
【００３４】
また、上述した第１実施形態においては、所定機能として通信機能、スピーカ出力機能を例示したが、カメラ撮影機能、録音機能、映像再生機能などであってもよく、特定施設においてカメラ撮影機能、録音機能、映像再生機能をオフ設定するようにしてもよい。この場合、特定信号としては、撮影禁止を指示する撮影ＯＦＦ信号、録音禁止を指示する録音ＯＦＦ信号、映像再生禁止を指示する再生ＯＦＦ信号であってもよい。
【００３５】
（実施形態２）
以下、この発明の第２実施形態について図４及び図５を参照して説明する。
なお、上述した第１実施形態においては、特定施設への入場時に非接触通信に応じて入場処理を行ったのち、近距離通信部１２から特定信号の受信有無あるいは周囲音に基づいて特定状況下にあるか否か検出するようにしたが、この第２実施形態においては、特定施設への入場後における電源オン時に、特定状況下にあるか否か検出するようにしたものである。この場合、非接触通信で禁止情報を受信した際に、電源オン状態であればその禁止情報に従った設定を直ちに行い、電源オフ状態であればその禁止情報を記憶しておき、次回の電源オン時にその禁止情報に従った設定を行うようにしたものである。
ここで、両実施形態において基本的あるいは名称的に同一のものは、同一符号を付して示し、その説明を省略すると共に、以下、第２実施形態の特徴部分を中心に説明するものとする。
【００３６】
図４は、第２実施形態において非接触ＩＣカード処理部１１の動作を示したフローチャートである。
先ず、非接触ＩＣカード処理部１１を構成するＣＰＵ１１Ａは、ＩＣリーダライタ付き外部機器２０からの信号を受信すると（ステップＢ１）、この受信信号に応じた処理として、電子マネー更新処理を実行したり、入退場処理を実行したりしたのち（ステップＢ２）、外部機器２０からの制御情報を受信して記憶保持しておく（ステップＢ３）。制御情報は、本体側との間での電子マネー処理、入退場処理を制御するもので、この制御情報の中には禁止情報を含めることができる。禁止情報は、施設に応じて使用禁止を指示する情報で、主電源をオフして本体の使用禁止を指示する制御情報（端末ＯＦＦ情報）、車内などでの通信機能の使用禁止を指示する制御情報（通信ＯＦＦ情報）、コンサート開演中などでのカメラの使用禁止を指示する制御情報（カメラＯＦＦ情報）である。
【００３７】
図５は、電源投入に伴って実行開始される携帯電話装置の全体動作のうち、第２実施形態の特徴部分を示したフローチャートである。
先ず、ＣＰＵ１は、電源オンに応じて非接触ＩＣカード処理部１１をアクセスして、そこに記憶保持されている制御情報を読み出し（ステップＣ１）、この制御情報の中に禁止情報は含まれているかを調べ（ステップＣ２）、禁止情報は含まれていなければ、無線通信部５を作動させて現在位置を登録する待受処理を行うと共に、所定の待受画像を読み出して表示出力させながら着信待ち受け状態となる（ステップＣ８）。この状態において、着信有りを検出すると（ステップＣ９でＹＥＳ）、着信メロディなどを発生出力させる着信報知を行うと共に、着信処理を実行する（ステップＣ１０）。
【００３８】
また、非接触ＩＣカード処理部１１から読み出した制御情報の中に禁止情報が含まれていれば（ステップＣ２でＹＥＳ）、その禁止種別は“端末ＯＦＦ”であるかを調べる（ステップＣ３）。いま、禁止種別が“端末ＯＦＦ”であれば、その禁止種別に従った設定として、主電源をオフするが、“カメラＯＦＦ”であれば（ステップＣ４でＹＥＳ）、その禁止種別に従った設定として、カメラ機能を構成するカメラ撮像部９をオフして駆動停止状態に設定する（ステップＣ５）。また、禁止種別が“通信ＯＦＦ”でなければ（ステップＣ６でＮＯ）、上述のステップＣ８に移って待ち受け状態となるが、禁止種別が“通信ＯＦＦ”であれば（ステップＣ６でＹＥＳ）、その禁止種別に従った設定として、無線通信部５をオフして駆動停止状態に設定したのち（ステップＣ７）、上述の着信処理（ステップＣ８〜Ｃ９）をスキップするためにステップＣ１１に移る。
【００３９】
また、待ち受け状態において、着信無しのときには（ステップＣ９でＮＯ）、ＩＣリーダライタ付き外部機器２０からの電磁誘導で非接触ＩＣカード処理部１１が起動することによって、非接触ＩＣカード処理部１１から起動通知を受け取ったかを調べる（ステップＣ１１）。いま、非接触ＩＣカード処理部１１から起動通知を受けたときには（ステップＣ１１でＹＥＳ）、上述のステップＣ１に戻るが、起動通知を受けなければ（ステップＣ１１でＮＯ）、何らかの操作が行われたかを調べ（ステップＣ１２）、操作有りの場合には、操作に対応する処理として、例えば、電話発信処理、メール作成・発信処理などを実行する（ステップＣ１３）。そして、上述のステップＣ８に戻る。
【００４０】
以上のように、この第２実施形態においてＣＰＵ１は、ＩＣリーダライタ付き外部機器２０と非接触ＩＣカード処理部１１との間での非接触通信で禁止情報を受信した際に、電源オン状態であればその禁止情報に従った設定を直ちに行い、電源オフ状態であればその禁止情報を記憶しておき、次回の電源オン時にその禁止情報に従った設定を行うようにしたので、非接触通信による禁止情報の受信時にあっては、電源オン／オフ状態に拘わらず確実にその禁止情報に従った設定を行うことができ、実情に即した制御が可能となる。
【００４１】
禁止情報は、通信の使用を禁止する情報であり、この禁止情報に従った設定は、通信機能をオフする設定であるので、通信を禁止されている場所では通信機能だけの使用を禁止することができる。
【００４２】
禁止情報は、携帯電話装置自体の使用を禁止する情報であり、この禁止情報に従った設定は、電源をオフする設定であるので、全機能の使用を禁止することができる。
【００４３】
なお、携帯電話装置に限らず、例えば、非接触ＩＣカード機能を有するＰＤＡ、電子カメラ、電子腕時計、音楽再生機などの携帯端末装置であっても同様に適用可能である。
【図面の簡単な説明】
【００４４】
【図１】携帯端末装置として適用した携帯電話装置の基本的な構成要素を示したブロック図。
【図２】電源投入に伴って実行開始される携帯電話装置の全体動作のうち、第１実施形態の特徴部分を示したフローチャート。
【図３】図２に続くフローチャート。
【図４】第２実施形態において非接触ＩＣカード処理部１１の動作を示したフローチャート。
【図５】電源投入に伴って実行開始される携帯電話装置の全体動作のうち、第２実施形態の特徴部分を示したフローチャート。
【符号の説明】
【００４５】
１  ＣＰＵ
２  記憶部
５  無線通信部
７  操作部
８Ａ  サウンドスピーカ
９  カメラ撮像部
１０  表示部
１１  非接触ＩＣカード処理部
１２  近距離通信部
１３  集音マイク
２０  ＩＣリーダライタ付き外部機器
【図１】
0005267968.tif 000002
【図２】
0005267968.tif 000003
【図３】
0005267968.tif 000004
【図４】
0005267968.tif 000005
【図５】
0005267968.tif 000006